(57)【特許請求の範囲】
【請求項１】
円筒状の胴管の上部にモータを配装し、前記胴管の下端にケーシングカバーを介してケーシングを連設し、前記ケーシングに形成したポンプ室内にインペラーを配装し、前記胴管の内側に配置した回転軸を介して前記インペラーをモータに連結した立形ポンプであって、
前記ポンプ室の下部に吸込口を開口させ、前記ポンプ室の側部に吐出口を開口させ、前記回転軸の下部に回転磁石を配装し、前記回転磁石に対応して前記ケーシングカバーの中穴壁に静止磁石を配装し、前記回転磁石の磁界と前記静止磁石の磁界が作用して生じる磁力で、前記回転軸を回転中心に保持させたことを特徴とする立形ポンプ。
【請求項２】
前記回転磁石及び前記静止磁石間に反発力を生じさせるように、両方の磁石の磁極の向きを方向付けたことを特徴とする請求項１記載の立形ポンプ。
【請求項３】
前記回転軸を回転中心に保持する磁力に加え、同じ磁力により、前記インペラーを含む回転部全体を上向けに引き上げるか、又は、下向けに引き下げるスラスト力を生じさせるように、前記回転磁石及び前記静止磁石の配装位置を設定したことを特徴とする請求項１又は２記載の立形ポンプ。
【請求項４】
前記回転軸上の複数個所に前記回転磁石を配装し、これら回転磁石に対応して前記ケーシングカバーにそれぞれ前記静止磁石を配装したことを特徴とする請求項１〜３のいずれか１項に記載の立形ポンプ。
【発明の詳細な説明】
【０００１】
【発明の属する技術分野】
本発明は、立形ポンプに関するものであり、さらに詳しくは、インペラーに回転を伝達する回転軸の下部を、ケーシングカバーに対して無接触で回転中心に保持するようにした立形ポンプに関するものである。
【０００２】
【従来の技術】
円筒状の胴管上部にモータを配装し、胴管下端に連設したケーシングに形成したポンプ室内にインペラーを配装し、該インペラーを回転軸を介してモータに連結してなる立形ポンプは、主要部の構成部品点数が少なく、接液部分に摺動部分を持たないなどの特徴があり、耐食・耐摩耗性・機械的強度に優れたポンプとして、環境を汚染する薬液や腐食性の強い薬液等の移送、例えば、エッチングマシン等の薬液の循環用、メッキ装置のメッキ液の循環用又は排ガス吸収塔等の薬液の循環用等に広く使用されている。
【０００３】
【発明が解決しようとする課題】
ところで、従来の立形ポンプにおいて、ポンプの内部構造として、接液部分に摺動部分を持たない立形ポンプとしては、モータに連結される回転軸は、その基部が胴管の上部で玉軸受け等の軸受けによって支持されて胴管内に垂下し、回転軸の下端がポンプ室に達してインペラーが装着されている。従って、ポンプ運転中に胴管内には薬液が入り込むことがあっても胴管上部にある軸受け部分は薬液に接触することはないものである。
【０００４】
しかし、この種の接液部分に摺動部分を持たない立形ポンプで、ポンプの空運転、気体吸込みによる揚水不能運転、固形物を含む液体を取り扱う運転等において、インペラーに掛かる負荷が急変したりする時に、インペラーを装着した回転軸の下端部が振れて回転が不安定になることがあり、これを防止するために、構造的に、回転軸を太くしたり、胴管上部における回転軸の支持構造を堅固にするような手法が採られており、これがポンプの小型化を妨げている。
【０００５】
また、ポンプ形態として回転軸が長尺とされる立形ポンプの場合は、回転軸の下部に軸受けを設け、回転軸の振れをなくして回転を安定させる構成の立形ポンプも提案されている。しかし、このように回転軸の下部に軸受けを設ける構成は、立形ポンプの特徴的な特性の一つが失われることになる。
【０００６】
そこで、本発明の課題は、回転軸の長さや太さ等に左右されることなく、回転軸の下部を、機械的な軸受けに頼らず、永久磁石による磁力により、常時、ケーシングカバーと無接触の状態で回転中心に保持するようにし、ポンプの内部構造として、接液部分に摺動部分を持たない保守性に優れ、高性能化と小型化を可能にした立形ポンプを提供することを目的としたものである。
【０００７】
【課題を解決するための手段】
上記目的を達成するために、本発明の立形ポンプは、円筒状の胴管の上部にモータを配装し、胴管の下端にケーシングカバーを介してケーシングを連設し、ケーシングに形成したポンプ室内にインペラーを配装し、胴管の内側に配置した回転軸を介してインペラーをモータに連結した立形ポンプであって、ポンプ室の下部に吸込口を開口させ、ポンプ室の側部に吐出口を開口させ、回転軸の下部に回転磁石を配装し、回転磁石に対応してケーシングカバーの中穴壁に静止磁石を配装し、回転磁石の磁界と静止磁石の磁界が作用して生じる磁力で、回転軸を回転中心に保持させたことを特徴とする。
【０００９】
本発明において使用される回転磁石及び静止磁石は、共に磁極の強さの強い高性能の永久磁石が使用され、各磁石の形態等については、特に制約はなく、複数個の磁石を円筒形状に組み合わせものや、１個のリング状をなす磁石であってもよいが、総合的に、回転磁石の磁界と静止磁石の磁界が作用して生じる磁力で、回転軸を回転中心に保持できるように、磁石の配置等については、実験的に設定される。
【００１０】
このように構成した本発明によれば、回転軸下部に配装した回転磁石と、これに対応してケーシングカバーに配装した静止磁石が互いに接近し、両方の磁石間に形成される環状の隙間内で両方の磁石の磁界が強力に作用し合って回転軸を回転中心に保持する。従って、あらゆる運転条件下において回転軸の振れがなく、安定した回転を実現する。
【００１１】
この場合に、例えば、回転磁石及び静止磁石間に反発力を生じさせるように、両方の磁石の磁極の向きを方向付けていると、両方の磁石間に形成される環状の隙間内で、両方の磁石の磁界の方向が同じ方向に向けられて強力な反発力の下で、常に、両方の磁石間に形成される環状の隙間の歪みを伴う回転軸の振れが生じないように作用する。従って、この場合の回転軸の下部は、機械的な汎用の軸受けを設けた構成と同様に、あらゆる運転条件下において、回転軸を回転中心に保持させることができる。
【００１２】
また、立形ポンプにおいて、インペラーに裏羽根を持つ構造では、通常、上向きにスラスト力が生じ、一方、インペラーに裏羽根を持たない構造では下向きにスラスト力が生じる。そこで、回転軸を回転中心に保持する磁力に加え、同じ磁力により、インペラーを含む回転部全体を上向けに引き上げるか、又は、下向けに引上げるスラスト力を生じさせるように、回転磁石及び静止磁石の配装位置を設定した構成にすると、ポンプの運転時に生じるスラスト力を、磁力により生じるスラスト力で相殺させることによって、胴管上部において、インペラーを含む回転部全体の荷重を支持するスラスト軸受けの圧力負担を軽減して、ポンプ構造を簡素化し、保守性に優れた高性能のポンプが提供できる。
【００１３】
また、本発明において、回転軸上の複数個所に回転磁石を配装し、これら回転磁石に対応してケーシングカバーにそれぞれ静止磁石を配装した構成にすると、回転軸を回転中心に保持する作用が、回転軸沿いの複数個所で図られて回転軸の安定性を一層向上できるとともに、磁力によりインペラーを含む回転部全体を上方向けに引き上げるか、又は、下向けに引上げるスラスト力も、回転軸を回転中心に保持する作用に影響を与えることなく効果的に増強できるので、スラスト軸受けの圧力負担を軽減して効率のよい回転を実現する。
【００１４】
【発明の実施の形態】
以下、本発明の実施の形態を、図面に基づいて説明する。
【００１５】
図１は本発明の実施の形態を示す立形ポンプの断面図である。
【００１６】
図１において、立形ポンプ１は、円筒状の胴管２上部にモータ３を配装し、胴管２の下端にケーシングカバー４を連結し、該ケーシングカバー４をケーシング５に組み付けてポンプ室６を形成し、ポンプ室６の下部に吸込口７を、ポンプ室６の側部に吐出口８を開口させ、ポンプ室６内に配装したインペラー９を回転軸１０の下端に取着し、回転軸１０をモータ３に連結している。
【００１７】
実施の形態の回転軸１０は、回転軸１０内の主軸部への薬液又は腐食性ガスの侵入を防止する構成になっている。
【００１８】
本発明においては、前記インペラー９に近接して回転軸１０の下部に回転磁石１１を配装し、この回転磁石１１に対応してケーシングカバー４の中穴壁１２に静止磁石１３を配装している。
【００１９】
実施の形態では、リング状をなす回転磁石１１を回転軸１０の下端から填め込んで所定の位置に固定し、この回転磁石１１に対応して複数個の静止磁石１３をケーシングカバー４の中穴壁１２周りに埋設状に配装している。
【００２０】
回転磁石１１と静止磁石１３はともに、磁極の強さの強い高性能の永久磁石が使用され、両方の磁石１１，１３の磁極の向きを同じ向きにし、両方の磁石１１，１３の磁界が両方の磁石間に形成される環状の隙間１４内で強力に反発し合うことによって、回転軸１０を回転中心に保持するようにしている。
【００２１】
こうして、ポンプのあらゆる運転条件下において、常に、両方の磁石１１，１３間に形成される環状の隙間１４の歪みを伴う回転軸１０の振れ（軸心のずれ）が生じないように作用するので、回転軸１０の下部には、汎用の軸受けを設けた構成と同様に、回転軸１０を回転中心に安定させることができる。
【００２２】
また、実施の形態では、回転軸１０の中間部にも回転磁石１１ａを配装し、この回転磁石１１ａに対応して胴管２の中間位置に静止磁石１３ａを配装している。この場合の回転磁石１１ａも前記の回転磁石１１同様に、リング状をなす回転磁石１１ａを回転軸１０に填め込んで所定の位置に固定し、この回転磁石１１ａに対応して静止磁石１３ａは磁石保持器１５に固定され、この磁石保持器１５と一体で胴管２の内壁に固着し、前記の回転磁石１１と静止磁石１３同様に、両方の磁石１１ａ，１３ａを同じ向きにすることにより、両方の磁石１１ａ，１３ａの磁界が両方の磁石１１ａ，１３ａ間に形成される環状の隙間１４内で強力に反発し合って回転軸１０を中間位置においても回転中心に保持するようにしている。こうして、回転軸１０を回転中心に保持する作用が、回転軸１０上の２個所で図られて回転軸１０の安定性を一層向上させることができる。
【００２３】
さらに、前記する回転軸１０に配装する回転磁石１１，１１ａと、これに対応してケーシングカバー４の中穴壁１２及び胴管２内壁に配装した静止磁石１３，１３ａの配装位置の設定に当たって、例えば、回転磁石１１，１１ａの位置を、静止磁石１３，１３ａの位置より上側、又は下側にずらした位置に設定すると、回転軸１０を回転中心に保持する磁力に加え、同じ磁力によりインペラー９を含む回転部全体を上向けに引き上げるか、又は、下向けに引上げるスラスト力を効果的に生じさせることができるので、回転軸１０の基端部にあって回転部全体の荷重を支持するスラスト軸受け（図示せず）の圧力負担を軽減して効率のよい回転を実現する。
【００２４】
【発明の効果】
本発明は、以上説明したような形態で実施され、本発明によれば、インペラーを装着した回転軸の下部を、機械的な軸受けに頼らず、永久磁石による磁力により、常時、回転中心に無接触な状態で保持するようにしたので、回転軸の長さや太さ等に左右されることなく、ポンプの内部構造として、接液部分に摺動部分を持たず、保守性に優れた立形ポンプの高性能化と小型化を可能にしたものである。
【図面の簡単な説明】
【図１】本発明の実施の形態を示す立形ポンプの断面図である。
【符号の説明】
１  立形ポンプ
２  胴管
３  モータ
４  ケーシングカバー
５  ケーシング
６  ポンプ室
７  吸込口
８  吐出口
９  インペラー
１０  回転軸
１１  １１ａ  回転磁石
１２  中穴壁
１３  １３ａ  静止磁石
１４  隙間
１５  磁石保持器
【図１】
0004184685.tif 000002